(57)【要約】【課題】両面研磨装置により、基板主表面の形状を、理想的な形状により近づける。【解決手段】両面研磨装置１０の上下両定盤の両研磨面の少なくとも一方に設けられている複数の供給穴から研磨液を供給しながら基板２２の両主表面を研磨する研磨工程を備えるマスクブランク用基板の製造方法であって、前記研磨工程は、上下両定盤を同心の回転軸で回転させ、１枚の基板２２を保持したキャリア２０を研磨面上の定盤の回転軸からずらした位置に配置して、研磨面上で基板２２を定盤の回転軸を中心に相対的に公転させ、基板主表面の中心を回転軸としてキャリア２０を回転させて基板２２を研磨面上で自転させることで基板の両主表面を研磨するものであり、制御手段によって、基板２２の研磨面上の位置に応じて各供給穴から供給される研磨液の供給量を制御する。【選択図】図１
2010221370.tif 000002
【特許請求の範囲】
【請求項１】
両面研磨装置の上下両定盤の研磨面間にキャリアで保持された基板を挟持し、
上下両定盤の両研磨面の少なくとも一方に設けられている複数の供給穴から研磨液を供給しながら基板の両主表面を研磨する研磨工程を備えるマスクブランク用基板の製造方法であって、
前記研磨工程は、
上下両定盤を同心の回転軸で回転させ、
１枚の基板を保持したキャリアを研磨面上の定盤の回転軸からずらした位置に配置して、研磨面上で基板を定盤の回転軸を中心に相対的に公転させ、
基板主表面の中心を回転軸としてキャリアを回転させて基板を研磨面上で自転させることで基板の両主表面を研磨するものであり、
制御手段によって、基板の研磨面上の位置に応じて各供給穴から供給される研磨液の供給量を制御する
ことを特徴とするマスクブランク用基板の製造方法。
【請求項２】
前記制御手段は、基板の主表面上で基準面からの高さが許容範囲を超える凸部分に対して、研磨液が優先的に供給されるように制御する
ことを特徴とする請求項１記載のマスクブランク用基板の製造方法。
【請求項３】
前記キャリアと上下両定盤とを同じ方向に回転させる
ことを特徴とする請求項１または２のいずれかに記載のマスクブランク用基板の製造方法。
【請求項４】
前記基板の自転回転数と公転回転数とを等しくする
ことを特徴とする請求項３記載のマスクブランク用基板の製造方法。
【請求項５】
キャリアには外周に歯車が設けられており、
両面研磨装置には、
定盤中心部に設けられた空洞に、定盤の回転軸と同心の回転軸で回転する太陽歯車が備えられ、
定盤の外周に、リング状で内側に歯車を有し、定盤の回転軸と同心の回転軸で回転する内歯歯車が備えられており、
太陽歯車と内歯歯車がキャリアの歯車と噛み合うことによってキャリアを回転させる
ことを特徴とする請求項１から４のいずれかに記載のマスクブランク用碁板の製造方法。
【請求項６】
上下定盤、太陽歯車および内歯歯車の各回転数を調整することで、基板の自転回転数と公転回転数とが等しくなるように制御する
ことを特徴とする請求項５に記載のマスクブランク用基板の製造方法。
【請求項７】
前記研磨工程は、前記基板の主表面に対する最終の研磨を行う超精密研磨工程である
ことを特徴とする請求項１から６のいずれかに記載のマスクブランク用基板の製造方法。
【請求項８】
前記上定盤の研磨面には、供給穴が複数並ぶ列である供給穴列が複数形成されており、
前記供給穴列の供給穴は、前記上定盤の回転軸側から外側に、かつ上定盤の回転方向の進行側に向かって螺旋状に等間隔で配置されており、
各供給穴列の最も回転軸側の供給穴は、回転軸と同心円上に、かつ円周方向に等間隔で配置されている
ことを特徴とする請求項１から７のいずれかに記載のマスクブランク用基板の製造方法。
【請求項９】
供給穴列の最も外側の供給穴は、当該供給穴列に対して前記上定盤の回転方向側に隣接する別の供給穴列の最も内側の供給穴よりも、前記上定盤の回転方向の進行側にある
ことを特徴とする請求項８に記載のマスクブランク用基板の製造方法。
【請求項１０】
請求項１から９いずれかに記載のマスクブランク用基板の製造方法で製造したマスクブランク用基板の主表面上に、マスクパターン形成用の薄膜を形成する
ことを特徴とするマスクブランクの製造方法。
【請求項１１】
請求項１０に記載のマスクブランクの製造方法で製造したマスクブランクにおける前記薄膜をパターニングしてマスクパターンを形成する
ことを特徴とするマスクの製造方法。
【発明の詳細な説明】
【技術分野】
【０００１】
本発明は、マスクブランク用基板の製造方法、マスクブランクの製造方法、及びマスクの製造方法に関する。
【背景技術】
【０００２】
従来、マスクブランク用基板の製造方法において、両面研磨装置により基板の主表面を研磨する研磨工程を行う方法が知られている（例えば、特許文献１参照）。また、このような両面研磨装置として、例えば遊星歯車方式の両面研磨装置が知られている。
【先行技術文献】
【特許文献】
【０００３】
【特許文献１】特開２００４−９８２７８号公報
【発明の概要】
【発明が解決しようとする課題】
【０００４】
両面研磨装置による基板の研磨を行う場合、その両面研磨装置だけで、基板主表面の形状を理想的な形状に近づけることが望まれる。そして、そのためには、例えば、現在の基板主表面に対して、理想的な形状をフィッティングしたときに、許容範囲を超えている凸部分が優先的に研磨されるようにできること、言い換えると、現在の基板主表面の基準面からの高さ分布を理想的な基板形状の高さ分布にフィッティングしたときに、許容範囲を超える凸部分が優先的に研磨されるようにできることが望ましい。そこで、本発明は、上記の課題を解決できるマスクブランク用基板の製造方法、マスクブランクの製造方法、及びマスクの製造方法を提供することを目的とする。
【課題を解決するための手段】
【０００５】
両面研磨装置だけで基板主表面の形状を理想的な形状に近づけるためには、例えば、定盤上のある地点での研磨性能というものを自在に制御できることが望まれる。これができれば、定盤（研磨面）上を移動する基板に対し、優先的に研磨したい部分が定盤上のその地点を通過するときに、基板主表面の所望の部分を優先的に消研磨できることになる。
【０００６】
また、両面研磨装置による基板の研磨では、定盤上のある地点での研磨性能というものを考えると、その研磨性能は、定盤上のその地点の移動速度、定盤の加工圧、その地点での研磨液の量およびフレッシュ度で概ね決まる。研磨液のフレッシュ度が研磨能力に関係する理由は、研磨面に研磨液が供給されてから時間が経過すると、その間に研磨面と基板主表面との間で研磨砥粒が使われ、研磨能力は劣化していくことに起因する。
【０００７】
ここで、これらのパラメータのうち、移動速度や加工圧力は、調整すると、定盤上のほかの地点の移動速度や加工圧力が変わってしまう。そのため、その地点だけについて自在に変えるということはできない。これに対し、本願の発明者は、研磨液の供給についてであれば、定盤上の位置によって異ならせることも可能であることに着目した。しかし、この場合であっても、定盤（研磨面）上の基板の移動軌跡が規則的でなげれば、研磨液の供給量を適切に制御することは困難である。
【０００８】
例えば、従来の両面研磨装置のように、１枚のキャリアに２枚以上の基板を保持させて研磨する場合、その複数枚の基板を同じ程度に研磨するには、キャリアの回転軸に対して同心円上に、複数枚の基板を配置する必要がある。この場合、キャリア自体が定盤の回転軸を中心として公転運動し、かつ自転運動する。そして、その上、キャリアに保持された基板が、キャリアの回転軸を中心として公転運動をし、かつ自転運動をする。その結果、１枚の基板の定盤上の移動軌跡は、非常に複雑となる。そのため、この複雑な移動軌跡を描く１枚の基板主表面上の特定部分に対し、研磨液が優先的に供給されるように制御を行うことは困難である。
【０００９】
これに対し、本願の発明者は、更に鋭意研究を行い、これらの課題を解決し得る本発明の構成を見出した。これらの課題を解決するために、本発明は、以下の構成を有する。
【００１０】
（構成１）両面研磨装置の上下両定盤の研磨面間にキャリアで保持された基板を挟持し、上下両定盤の両研磨面の少なくとも一方に設けられている複数の供給穴から研磨液を供給しながら基板の両主表面を研磨する研磨工程を備えるマスクブランク用基板の製造方法であって、前記研磨工程は、上下両定盤を同心の回転軸で回転させ、１枚の基板を保持したキャリアを研磨面上の定盤の回転軸からずらした位置に配置して、研磨面上で基板を定盤の回転軸を中心に相対的に公転させ、基板主表面の中心を回転軸としてキャリアを回転させて基板を研磨面上で自転させることで基板の両主表面を研磨するものであり、制御手段によって、基板の研磨面上の位置に応じて各供給穴から供給される研磨液の供給量を制御する。
【００１１】
この基板は、例えばガラス基板である。両面研磨装置は、例えば、上定盤と下定盤との間に、複数のキャリアを挟み、それぞれのキャリアに保持された基板を研磨する。基板の公転とは、例えば、基板が定盤の研磨面を基準として相対的に定盤の回転軸を中心に公転していることをいう。
【００１２】
このように構成した場合、例えば、１枚のキャリアに１枚の基板を保持させ、かつ、キャリアの回転軸と基板主表面の中心とを同心とすることにより、定盤上における基板の移動軌跡を適切に単純化できる。そのため、このように構成すれば、例えば、基板の移動軌跡に応じて研磨液の供給量を制御することが容易になる。そして、研磨液の供給量を適切に制御することが可能になるため、例えば、基板主表面の所望の部分を優先的に研磨することも可能になる。また、これにより、両面研磨装置により、基板主表面の形状を、理想的な形状により近づけることができる。
【００１３】
更には、これにより、例えば、主表面の平坦度が高いマスクブランク用基板を適切に製造できる。また、主表面の平坦度を高めることにより、欠陥の発生を適切に抑えることができる。これにより、例えば、欠陥サイズの微細化及び低欠陥化を適切に実現できる。
【００１４】
尚、マスクブランク用基板として求められる理想的な基板形状は、完全なフラット形状ではなく、例えば、主表面の中央を頂点とする凸形状であって、基板全体で所定の平坦度（例えば、１４２ｍｍ角内で０．３μｍ）であることが望ましい。これは、この基板を基にマスクブランクが製造され、それから作製したフォトマスクの使用時の状態を考慮したものである。露光装置での使用時において、フォトマスクは、露光装置のマスクステージにチャックされる。そして、このチャック時において、フォトマスクは、主表面の外周側に変形力を受け、基板中央側が変形させられる。そして、この変形を勘案すると、中央が凸形状であることが望ましいこととなる。以上及び以下の記載において、マスクブランク用基板の平坦度が高いとは、例えば、所望の理想的な凸形状を有し、かつ、所定の平坦度（例えば、１４２ｍｍ角内で０．３μｍ）であることである。
【００１５】
また、定盤（研磨面）上における基板の移動軌跡は、例えば、研磨条件に基づき、予め算出しておく。そして、基板主表面上において優先的に研磨すべき部分に対して、研磨液が優先的に供給されるように、研磨液の供給量を、制御手段で制御する。このようにすれば、研磨液の供給の制御を、適切に行うことができる。
【００１６】
また、キャリアの公転軌跡は、例えば従来の両面研磨装置と同様に、定盤の回転軸近傍に掛からないように設定される。このようにすれば、例えば、定盤の研磨面と基板の間の相対速度を適切に確保できる。
【００１７】
（構成２）前記制御手段は、基板の主表面上で基準面からの高さが許容範囲を超える凸部分に対して、研磨液が優先的に供給されるように制御する。このようにすれば、例えば、基板主表面の形状を、理想的な形状に適切に近づけることができる。また、これにより、主表面の平坦度が高いマスクブランク用基板を適切に製造できる。
【００１８】
（構成３）前記キャリアと上下両定盤とを同じ方向に回転させる。このようにすれば、例えば、基板の移動軌跡をより単純化できる。また、これにより、研磨液の供給の制御をより適切に行うことができる。
【００１９】
（構成４）前記基板の自転回転数と公転回転数とを等しくする。基板の自転回転数と公転回転数とが等しいとは、例えば、それぞれの単位時間あたりの回転数が等しいことである。単位時間あたりの回転数が等しいとは、例えば、一定のマージン、動作の微調整、誤差等を見込んだ範囲で、それぞれの回転数が実質的に等しいことであってよい。
【００２０】
このようにした場合、例えば、基板の各位置に対する上定盤及び下定盤の相対速度のベクトルを、基板の自転の１回転分集めると、集めたベクトルは、基板上のいずれの位置でも同一の円になる。また、その結果、例えば、基板の１回転分の期間で平均した場合、基板上の各位置において、この相対速度の平均は等しくなる。そのため、このようにすれば、例えば、基板の移動軌跡をより単純化できる。また、これにより、研磨液の供給の制御をより適切に行うことができる。
【００２１】
更には、このようにした場合、例えば、上定盤及び下定盤の研磨パッドと被研磨物（ワーク）である基板との間において、相対速度運動及び研磨の軌跡密度を適切に均一化できる。また、これにより、基板の両主表面をより適切に研磨できる。
【００２２】
（構成５）キャリアには外周に歯車が設けられており、両面研磨装置には、定盤中心部に設けられた空洞に、定盤の回転軸と同心の回転軸で回転する太陽歯車が備えられ、定盤の外周に、リング状で内側に歯車を有し、定盤の回転軸と同心の回転軸で回転する内歯歯車が備えられており、太陽歯車と内歯歯車がキャリアの歯車と噛み合うことによってキャリアを回転させる。
【００２３】
このようにすれば、例えば、基板の自転及び公転を適切に行わせることができる。研磨工程は、例えば、上定盤、下定盤、キャリア（太陽歯車と内歯歯車の回転数を調整して、キャリアの回転数を調整する）の単位時間あたりの回転数を等しくして、基板の研磨を行う。
【００２４】
（構成６）上下定盤、太陽歯車および内歯歯車の各回転数を調整することで、基板の自転回転数と公転回転数とが等しくなるように制御する。このようにすれば、基板の自転回転数及び公転回転数を適切に制御できる。
【００２５】
（構成７）前記研磨工程は、前記基板の主表面に対する最終の研磨を行う超精密研磨工程である。超精密研磨工程は、例えば、コロイダルシリカ砥粒を含む研磨液を用いて研磨を行う研磨工程である。このコロイダルシリカ砥粒は、例えば、有機ケイ素化合物を加水分解することで生成したコロイダルシリカを含む研磨砥粒である。
【００２６】
また、超精密研磨工程は、例えば、基板の主表面を所定の表面粗さに仕上げる前段の研磨工程の後に仕上げの研磨を行う工程である。この前段の研磨は、例えば、酸化セリウムを主材とする研磨液を用いて、基板の両主表面を研磨する。このようにすれば、例えば、基板の両主表面を、より適切に研磨できる。
【００２７】
（構成８）前記上定盤の研磨面には、供給穴が複数並ぶ列である供給穴列が複数形成されており、前記供給穴列の供給穴は、前記上定盤の回転軸側から外側に、かつ上定盤の回転方向の進行側に向かって螺旋状に等間隔で配置されており、各供給穴列の最も回転軸側の供給穴は、回転軸と同心円上に、かつ円周方向に等間隔で配置されている。
【００２８】
このような構成において、例えば、全ての供給穴から均一に研磨液を供給した場合、上定盤と下定盤との間において基板が通過する領域に対して、適切かつ均一に研磨液が供給される。そのため、この状態を基準にして、各供給穴からの研磨液の供給量を制御することにより、定盤上の各位置における研磨性能を適切に制御し、より適切な研磨を行うことができる。従って、このようにすれば、例えば、研磨液の供給の制御をより適切に行うことができる。また、これにより、例えば、両面研磨装置により、基板主表面の形状を、理想的な形状に更に近づけることができる。
【００２９】
（構成９）供給穴列の最も外側の供給穴は、当該供給穴列に対して前記上定盤の回転方向側に隣接する別の供給穴列の最も内側の供給穴よりも、前記上定盤の回転方向の進行側にある。
【００３０】
このような構成において、例えば、全ての供給穴から均一に研磨液を供給した場合、上定盤と下定盤との間において基板が通過する領域に対して、より適切かつ均一に研磨液が供給される。そのため、このようにすれば、例えば、研磨液の供給の制御をより適切に行うことができる。また、これにより、例えば、両面研磨装置により、基板主表面の形状を、理想的な形状に更に近づけることができる。
【００３１】
（構成１０）マスクブランクの製造方法であって、構成１から９いずれかに記載のマスクブランク用基板の製造方法で製造したマスクブランク用基板の主表面上に、マスクパターン形成用の薄膜を形成する。このようにすれば、例えば、構成１から９と同様の効果を得ることができる。また、これにより、例えば、マスクブランクを高い精度で適切に製造できる。
【００３２】
尚、マスクパターン形成用の薄膜とは、例えば、位相シフト膜、遮光膜等である。また、位相シフト膜と遮光膜とを積層した膜や、位相シフト機能と遮光機能を有するハーフトーン膜等、反射膜、吸収体膜等であってもよい。また、これらの膜は、複数の層を積層した多層膜であってもよい。
【００３３】
（構成１１）マスクの製造方法であって、構成１０に記載のマスクブランクの製造方法で製造したマスクブランクにおける前記薄膜をパターニングしてマスクパターンを形成する。このように構成すれば、例えば、構成１０と同様の効果を得ることができる。また、これにより、マスクを高い精度で適切に製造できる。
【発明の効果】
【００３４】
本発明によれば、両面研磨装置での研磨時において、基板の定盤上での移動軌跡を単純化し、さらに定盤に設けられた各供給穴からの研磨液の供給量を制御することにより、例えば、1枚ごとに局所的なエッチング処理による主表面の形状修正を行わなくても、両面研磨装置により、基板主表面の形状を理想的な形状により近づけることができる。また、高い生産歩留りで、主表面の形状が理想的な形状に近い基板を製造することができる。
【図面の簡単な説明】
【００３５】
【図１】本発明の一実施形態に係るマスクブランク用基板の製造方法における研磨工程で使用される両面研磨装置１０の一例を示す図である。図１（ａ）は、両面研磨装置１０の構成の一例を示す。図１（ｂ）は、両面研磨装置１０内における基板２２の配置の一例を示す。
【図２】両面研磨装置１０内における基板２２の動きについて更に詳しく説明する図である。図２（ａ）は、基板２２の公転及び自転の動作について説明する図である。図２（ｂ）は、基板２２が研磨される様子の一例を示す図である。
【図３】定盤が１回転したときの基板２２の研磨軌跡の一例を示す図である。図３（ａ）は、基板２２の相対公転回転数：自転回転数＝１：１とした場合における、定盤が１回転したときの基板２２の研磨軌跡を示す。図３（ｂ）は、基板２２の相対公転回転数：自転回転数＝１：２とした場合における、定盤が１回転したときの基板２２の研磨軌跡を示す。図３（ｃ）は、基板２２の相対公転回転数：自転回転数＝１：０．５とした場合における、定盤が１回転したときの基板２２の研磨軌跡を示す。
【図４】図４は、相対公転回転数と自転回転数との比を１：１にした場合における相対速度のコントロールの一例を示す図である。図４（ａ）は、基板２２に対する上定盤１２の相対速度の一例を示す。図４（ｂ）は、基板２２の主表面上のある１点について、自転を１回転する間の相対速度のベクトルを集めた様子の一例を示す。
【図５】上定盤１２の構成の一例を示す図である。
【図６】超精密研磨工程において上定盤１２の研磨液供給穴から供給される研磨液の軌跡の一例を示す図である。図６（ａ）は、実施例１における研磨液の軌跡を示す。図６（ｂ）は、実施例２における研磨液の軌跡を示す。図６（ｃ）は、参考例１における研磨液の軌跡を示す。
【発明を実施するための形態】
【００３６】
以下、本発明に係る実施形態を、図面を参照しながら説明する。図１は、本発明の一実施形態に係るマスクブランク用基板の製造方法における研磨工程で使用される両面研磨装置１０の一例を示す。図１（ａ）は、両面研磨装置１０の構成の一例を示す。図１（ｂ）は、両面研磨装置１０内における基板２２の配置の一例を示す。
【００３７】
両面研磨装置１０は、マスクブランク用基板の素材であるガラスの基板２２の両主表面を研磨する遊星歯車方式の研磨装置であり、上定盤１２、下定盤１４、太陽歯車１６、内歯歯車１８、及び制御部３０を備える。上下両定盤（上定盤１２、下定盤１４）は、中心部に空洞１２ａ，１４ａを有するドーナツ状であり、上定盤１２，下定盤１４にキャリア２０で保持された基板２２を挟持して、基板２２の両主表面を研磨する。
【００３８】
尚、本例において、両面研磨装置１０は、上下両定盤の間に、例えば図１（ｂ）に示すように、複数のキャリア２０を保持する。複数のキャリア２０は、例えば、太陽歯車１６と内歯歯車１８との間のドーナツ状の領域において、上定盤１２及び下定盤１４の円周方向へ並べて配置される。
【００３９】
また、キャリア２０は、基板２２を収容する４角穴状の貫通部を中央に有する円板状体であり、外周に歯車が設けられており、外周部において太陽歯車１６及び内歯歯車１８と噛み合う。各キャリア２０は、マスクブランク用基板の形状である四角板状の基板２２をそれぞれ１枚保持する。
【００４０】
上定盤１２及び下定盤１４は、基板２２の上側及び下側の定盤である。本例において、上定盤１２及び下定盤１４は、ドーナツ状体であり、これらのドーナツ状体の中心軸である定盤中心軸１０２を中心にして、キャリア２０に保持された基板２２を間に挟みつつ、同じ方向へ回転する。また、上定盤１２及び下定盤１４は、基板２２と対向する面に、研磨パッド２４をそれぞれ有する。研磨パッド２４は、例えばスウェードタイプの軟質ポリシャであり、上定盤１２及び下定盤１４において基板２２と対向する面にそれぞれ貼り付けられている。
【００４１】
また、本例において、上定盤１２には、研磨液（スラリー）を供給する研磨液の供給穴が複数形成されている。これにより、両面研磨装置１０は、上定盤１２及び下定盤１４の研磨パッド２４と基板２２との間に、研磨液を供給する。また、両面研磨装置１０は、複数の供給穴から研磨液を供給しつつ、基板２２の両主表面を研磨する。尚、研磨液の供給穴は、必ずしも上定盤１２に限らず、上下両定盤の両研磨面の少なくとも一方に設けられていてもよい。
【００４２】
太陽歯車１６及び内歯歯車１８は、キャリア２０の外周面と噛み合うギアである。太陽歯車１６は、上定盤１２及び下定盤１４の中心側からキャリア２０と接する外歯の歯車であり、上下両定盤１２，１４中心部の空洞１２ａ，１４ａに備えられ、上下定盤１２，１４の回転軸である定盤中心軸１０２と同心の回転軸で回転する。また、内歯歯車１８は、上定盤１２及び下定盤１４の外周側からキャリア２０と接する内歯の歯車である。内歯歯車１８は、リング状で内側に歯車を有する歯車であり、上下定盤１２，１４の外周に備えられ、定盤の回転軸である定盤中心軸１０２と同心の回転軸で回転する。
【００４３】
そして、太陽歯車１６と内歯歯車１８は、キャリア２０の歯車と噛み合うことによって、キャリア２０を回転させる。また、これにより、太陽歯車１６及び内歯歯車１８は、上定盤１２と下定盤１４との間において、基板２２を公転及び自転させる。本発明でいう基板２２の公転は、定盤に対しての相対的な公転で考える必要があり、研磨工程時は定盤自体が回転していることから、仮に基板１２が静止状態であっても定盤の研磨面上を相対的に公転していることになる。よって、本発明では、基板２２の公転回転数は、太陽歯車１６と内歯歯車１８によって、キャリア２０（基板２２）を定盤中心軸１０２を中心に回転させることによる回転数に、定盤自体の回転数を差し引いた回転数で考えなければならない。
【００４４】
制御部３０は、両面研磨装置１０の動作を制御する制御手段である。制御部３０には、上定盤１２、下定盤１４、太陽歯車１６、及び内歯歯車１８のそれぞれについて、回転数、回転時間、及び荷重シーケンス（研磨時間と荷重）等が予め設定されている。両面研磨装置１０は、これらの設定に従って、基板２２を研磨加工する。また、本例において、制御部３０は、更に、基板２２の研磨面上の位置に応じて、上定盤１２の各供給穴から供給される研磨液の供給量を制御する。
【００４５】
以上の構成により、研磨工程において、両面研磨装置１０は、上下両定盤を、同心の回転軸で同一方向に回転させる。また、１枚の基板２２を保持したキャリア２０を研磨面上の定盤の回転軸からずらした位置に配置して、研磨面上で、基板２２を、定盤の回転軸を中心に相対的に公転させる。また、基板主表面の中心を回転軸としてキャリア２０を上下両定盤と同じ方向に回転させて、基板２０を研磨面上で自転させる。これにより、両面研磨装置１０は、基板２０の両主表面を研磨する。
【００４６】
尚、キャリア２０（基板２２）を定盤の回転軸からずらした位置に配置するのは、定盤の回転軸周辺の領域は、回転中心付近の研磨面の移動速度は非常に遅く、そこに基板２２を配置してもほとんど研磨ができないためである。本例において、キャリア２０の公転軌跡は、定盤の回転軸近傍に掛からないように設定される。このように構成すれば、例えば、定盤の研磨面と基板２２の間の相対速度を適切に確保できる。本例によれば、上定盤１２と下定盤１４との間で基板２２に遊星運動を行わせ、基板２２の両主表面を適切に研磨できる。
【００４７】
また、研磨液の供給量を制御にあたって、定盤（研磨面）上における基板２２の移動軌跡は、例えば、研磨条件に基づき、予め算出しておく。そして、基板主表面上において優先的に研磨すべき部分に対して、研磨液が優先的に供給されるように、研磨液の供給量を、制御部３０で制御する。このようにすれば、研磨液の供給の制御を、適切に行うことができる。
【００４８】
制御部３０は、例えば、基板２２の主表面上で基準面からの高さが許容範囲を超える凸部分に対して、研磨液が優先的に供給されるように、研磨液の供給量を制御する。このようにすれば、例えば、基板主表面の形状を、理想的な形状に適切に近づけることができる。
【００４９】
ここで、本例において製造されるマスクブランク用基板は、例えば、フォトマスクブランク又は位相シフトマスクブランク等のマスクブランクの製造に用いられる。このマスクブランクは、例えば液浸ＡｒＦ露光用、ＡｒＦエキシマレーザー露光用等のマスクブランクである。また、このマスクブランクは、例えばＬＳＩ（半導体集積回路）用のマスクの製造に用いられる。
【００５０】
また、このマスクブランクは、例えばｈｐ４５世代、好ましくはｈｐ３２世代のマスクの製造に用いられる。ｈｐ４５世代、及びｈｐ３２世代のマスクとは、例えば、ＤＲＡＭ製造用のマスクにおける最小の配線幅の半分（ハーフピッチ）がそれぞれ４５ｎｍ、３２ｎｍとなるテクノロジ世代のマスクである。
【００５１】
尚、このマスクブランクは、例えばＬＣＤ（液晶表示板）用マスク等の製造に用いられてもよい。また、例えば、ＥＵＶ用反射型のマスクブランク等であってよい。
【００５２】
また、基板２２の材料となるガラスは、特に限定されない。基板２２の材料としては、例えば、合成石英ガラス、ホウケイ酸ガラス、アルミノシリケートガラス、アルミノボロシリケートガラス、ソーダライムガラス、無アルカリガラス、ＳｉＯ２−ＴｉＯ２低熱膨張ガラスなどが挙げられる。
【００５３】
図２は、両面研磨装置１０内における基板２２の動きについて更に詳しく説明する図である。図２（ａ）は、基板２２の公転及び自転の動作について説明する図である。本例においては、両面研磨装置１０における太陽歯車１６及び内歯歯車１８（図１参照）の回転等に応じて、キャリア２０は、例えば矢印２０２で示す方向へ回転する。そして、キャリア２０のこの回転により、キャリア２０に保持されている基板２２は、矢印２０２の方向への自転運動を行う。また、キャリア２０は、太陽歯車１６と内歯歯車１８と間に回転数差を設ける、例えば、内歯歯車１８の回転数の方を早くすると、矢印２０４で示す方向へ移動することにより、定盤中心軸１０２の周りを周回する。そして、キャリア２０のこの移動と、定盤自体の回転により、基板２２は、定盤の研磨面に対して矢印２０４の方向への公転運動を行う。尚、基板２２の自転の方向や、研磨面に対する相対的な公転の方向は、両方が同じ回転方向であれば、図２（ａ）に図示した方向と逆方向に回転させてもよい。
【００５４】
以上のように構成した場合、例えば、１枚のキャリア２０に１枚の基板２２を保持させ、かつ、キャリア２０の回転軸と基板主表面の中心とを同心とすることや、キャリア２０と上下両定盤とを同じ方向に回転させること等により、定盤上における基板２２の移動軌跡を適切に単純化できる。そのため、本例によれば、例えば、基板２２の移動軌跡に応じて研磨液の供給量を制御することが、より容易になる。そして、研磨液の供給量を適切に制御することが可能になるため、例えば、基板主表面の所望の部分を優先的に研磨することも可能になる。また、これにより、両面研磨装置１０により、基板主表面の形状を、理想的な形状により近づけることができる。
【００５５】
図２（ｂ）は、基板２２が研磨される様子の一例を示す図である。研磨工程において研磨される研磨量は、経験上、プレストンの法則として、被研磨物（ワーク）である基板２２と工具である上定盤１２及び下定盤１４との間における相対速度、圧力、及び時間に比例することが知られている。
【００５６】
また、両面研磨装置１０において、基板２２に対する上定盤１２及び下定盤１４の相対的な動きを考えた場合、上定盤１２及び下定盤１４の各部は、矢印２０６で示すような軌跡で、基板２２の各部を通過する。また、上定盤１２及び下定盤１４の研磨面各部の速度は、定盤の回転軸ではゼロであり、外周側に向かって速くなっていき、最外周で最大となる。そのため、研磨液の供給量が均一である場合、基板２２の定盤（研磨面）外周側に位置する部分では研磨量が多く、定盤内周側に位置する部分では研磨量が少なくなる。また、基板はキャリア２０によって、定盤と同じ回転方向に自転させられているため、特に、定盤内周側でも、定盤の回転速度ベクトルと基板の自転の回転速度ベクトルとが逆方向になる領域である主表面の角部周辺の領域２０８では、基板２２の全領域のなかで最も定盤との相対速度が遅くなるため、研磨量が最も少なくなる。
【００５７】
ここで、研磨工程中において、基板２２は自転するため、４隅とも領域２０８で研磨されることにはなる。しかし、４隅の間でその領域２０８を通過する回数（時間）にばらつきがあると、基板主表面の平坦度の悪化が生じやすくなる。
【００５８】
これに対しては、例えば、基板２２の定盤上での相対的な公転速度及び自転速度の設定により、基板２２の各位置における相対速度をコントロールし、基板２２の位置による研磨量の差を抑えることが可能である。具体的には、基板２２の定盤上での相対公転速度（相対公転回転数）：自転速度（自転回転数）＝１：１となるように調整すると、基板２２の位置による研磨量を実質的に均一にすることができる。相対公転速度（相対公転回転数）の調整は、例えば、定盤の回転数を最初に定め、太陽歯車の半径、内歯歯車の半径、キャリアの半径との関係から、定盤の回転数を差し引いたキャリア２０の公転回転数（定盤の回転方向とキャリア２０の回転方向がともに同じ方向の場合）とキャリア２０の自転回転数の比が１：１となるように、太陽歯車と内歯歯車の各回転数を選定するとよい。
【００５９】
図３及び図４は、基板２２の相対公転速度と自転速度との比について更に詳しく説明する図である。図３は、定盤が１回転したときの基板２２の研磨軌跡の一例を示す。尚、図３においては、便宜上、基板２２の主表面の中心部分、初期位置で定盤上の最も内周側にある部分、及び最も外周側にある部分の３点について、それぞれの研磨軌跡を示した。
【００６０】
図３（ａ）は、基板２２の相対公転回転数：自転回転数＝１：１とした場合における、定盤が１回転したときの基板２２の研磨軌跡を示す。この場合、当然ながら、基板２２の中心部分の研磨軌跡については常に相対速度の同じ部分を通過しており、真円を描いている。
【００６１】
また、基板２２の最も内周側の部分の研磨軌跡については、最も内周側と最も外周側との間で均等になるような真円を描いている。更に、基板２２の最も外周側の部分の研磨軌跡については、最も外周側と最も内周側との間で均等になるような真円を描いている。つまり、基板２２の相対公転回転数：自転回転数＝１：１とした場合、基板主表面のどの部分でも、定盤が１周する間におけるトータルの研磨面の通過速度が等しくなり、例えば研磨液の供給量を均一にした場合、研磨量も均一にできるということがわかる。
【００６２】
図３（ｂ）は、基板２２の相対公転回転数：自転回転数＝１：２とした場合における、定盤が１回転したときの基板２２の研磨軌跡を示す。この場合も、当然ながら、基板２２の中心部分の研磨軌跡については常に相対速度の同じ部分を通過しており、真円を描いている。
【００６３】
しかし、基板２２の最も内周側の部分、及び基板２２の最も外周側の部分の研磨軌跡については、楕円形となる。そのため、基板２２の相対公転回転数：自転回転数＝１：２とした場合、定盤が１周する間におけるトータルの研磨面の通過速度には、基板主表面の位置によるばらつきが生じることとなる。その結果、この場合、例えば研磨面の全体に研磨液を均一に供給したとすると、基板主表面の各位置での研磨量は均一とはならない。そのため、この場合には、各位置での研磨量の違いを考慮して、研磨液の供給を制御する必要がある。
【００６４】
図３（ｃ）は、基板２２の相対公転回転数：自転回転数＝１：０．５とした場合における、定盤が１回転したときの基板２２の研磨軌跡を示す。この場合も、当然ながら、基板２２の中心部分の研磨軌跡については常に相対速度の同じ部分を通過しており、真円を描いている。
【００６５】
しかし、基板２２の最も内周側の部分の研磨軌跡については、真円ではあるが、最も内周側と中間部分（最も内周側と最も外周側の中間点のエリア、基板の中心部分が通る研磨軌跡のエリア）との間しか描かれない。更に、基板２２の最も外周側の部分の研磨軌跡についても、真円ではあるが、最も外周側と中間部分（最も内周側と最も外周側の中間点のエリア、基板の中心部分が通る研磨軌跡のエリア）との間しか描かれない。
【００６６】
つまり、基板２２の相対公転回転数：自転回転数＝１：０．５とした場合、基板主表面のどの部分でも、定盤が１周する間におけるトータルの研磨面の通過速度にはばらつきが生じることとなる。その結果、例えば研磨面の全体に研磨液を均一に供給したとすると、基板主表面の各位置での研磨量は均一とはならない。そのため、この場合にも、各位置での研磨量の違いを考慮して、研磨液の供給を制御する必要がある。
【００６７】
ここで、相対公転回転数と自転回転数との比を１：１にした場合について、更に詳しく説明する。図４は、相対公転回転数と自転回転数との比を１：１にした場合における相対速度のコントロールの一例を示す図である。図４（ａ）は、基板２２に対する上定盤１２の相対速度の一例を示す。尚、図示は省略したが、以下に説明する点は、下定盤１４の相対速度についても同様である。
【００６８】
本例において、キャリア２０は、それぞれ１枚の基板２２を保持する。この場合、キャリア２０の回転によって基板２２が自転しても、それぞれの基板２２の中心の位置は、変化しない。そのため、基板２２の中心における相対速度は、例えば、上定盤１２の回転速度のベクトルと平行で同じ大きさのベクトルの速度となる。
【００６９】
図４（ｂ）は、基板２２の主表面上のある１点について、自転を１回転する間の相対速度のベクトルを集めた様子の一例を示す。上記のように相対速度をコントロールした場合、例えば、基板２２の各位置に対する上定盤１２の相対速度のベクトルを、基板２２の自転の１回転分集めると、集めたベクトルは、基板２２上のいずれの位置でも同一の円になる。その結果、例えば、基板２２の１回転分の期間で平均した場合、基板２２上の各位置において、相対速度の平均は等しくなる。
【００７０】
そのため、このように相対速度をコントロールすれば、例えば、基板の移動軌跡を適切に単純化できる。また、これにより、研磨液の供給の制御をより適切に行うことができる。
【００７１】
更には、この場合、基板２２に対する上定盤１２の相対速度を適切に均一化できるため、例えば、基板２２の各部を通過する上定盤１２による研磨の軌跡密度を適切に均一化できる。これにより、例えば研磨液の供給量を均一にした場合、研磨量も均一となり、例えば、研磨によって平坦度を悪化させることなく、基板２２の両主表面を適切かつ均一に研磨できる。また、例えば研磨液の供給量を均一にせず、研磨面上の位置に応じて研磨液の供給量を制御することにより、基板の各部の研磨量を適切に制御できる。
【００７２】
そのため、本例によれば、例えば、両面研磨装置１０により、基板主表面の形状を、理想的な形状により近づけることができる。また、これにより、例えば、主表面の平坦度が高いマスクブランク用基板を適切に製造できる。そして、高い生産歩留りで、基板主表面の形状を、理想的な形状に近い基板を製造できる。
【００７３】
尚、本例において、両面研磨装置１０は、上定盤１２に形成された研磨液の供給穴から研磨液を供給しつつ、基板２２の両主表面の研磨を行う。そのため、基板２２を適切に研磨するためには、相対速度のコントロールにより基板２２の公転及び自転の軌跡を制御することに加え、研磨液の供給経路も重要となる。
【００７４】
図５は、上定盤１２の構成の一例を示す図であり、上定盤１２に形成された研磨液供給穴の配置の一例を示す。本例において、上定盤１２の研磨面には、研磨液の供給穴が複数並ぶ列である供給穴列３０２が複数形成されている。そして、それぞれの供給穴列３０２において、供給穴は、上定盤１２の回転軸側から外側に、かつ上定盤１２の回転方向の進行側に向かって、螺旋状に等間隔で配置されている。
【００７５】
また、各供給穴列３０２の最も回転軸側の供給穴を最内周側穴３０４とし、最も外側の供給穴を最外周側穴３０６とした場合、各供給穴列３０２の最内周側穴３０４は、回転軸と同心円上に、かつ円周方向に等間隔で配置されている。更に、各供給穴列３０２の最外周側穴３０６は、当該供給穴列３０２に対して上定盤１２の回転方向側に隣接する別の供給穴列３０２の最内周側穴３０４よりも、上定盤２２の回転方向の進行側にある。
【００７６】
本例によれば、例えば、全ての供給穴から均一に研磨液を供給することにより、上定盤１２と下定盤１４との間において基板２２が通過する領域に対して、適切かつ均一に研磨液を供給できる。また、これにより、例えば、基板２２の両主表面をより適切かつ均一に研磨できる。
【００７７】
また、各供給穴からの研磨液の供給量を制御することにより、定盤上の各位置における研磨性能を適切に制御できる。そのため、本例によれば、例えば、研磨液の供給の制御を適切に行うことができる。また、これにより、例えば、両面研磨装置１０により、基板主表面の形状を、理想的な形状に更に近づけることができる。
【００７８】
尚、上記の構成は、均一に研磨液を供給するのに特に適した構成である。上定盤１２における研磨液供給穴の配置は、例えば必要な精度に応じて、上記と異なる配置とすることも考えられる。例えば、研磨液の供給穴を、均一なランダム配置とすることも考えられる。
【００７９】
以上のように、本例によれば、例えば、主表面の平坦度が高いマスクブランク用基板を適切に製造できる。そして、高い生産歩留りで、基板主表面の形状を、理想的な形状に近い基板を製造できる。
【００８０】
また、両面研磨装置１０の各供給穴からの研磨液の供給量を制御することによって、基板主表面を理想的な形状に近づけるための局所的な加工を含む研磨を最初に行い、所望の基板主表面の形状に近づいた段階になったときに、各供給穴から基板主表面の全面に均等に研磨液が供給されるように制御を切り替えて、表面欠陥を取り除く研磨を行うというような段階的な研磨を行うこともできる。同じ両面研磨装置を用いた場合でもこのような段階的な研磨工程を行うことで、主表面の平坦度が高く、プラズマエッチングのような局所エッチングでの局所可能を行う場合のような局所的な表面荒れも生じず、しかも表面欠陥が低減（欠陥サイズがより小さく、かつ欠陥数も少ない）されたマスクブランク用基板を製造することができる。
【００８１】
さらに、研磨の最終段階で、上定盤１２あるは下定盤１４を回転軸方向に移動させ、基板主表面と上定盤１２の研磨パッド２４との間に数μｍの隙間を設けるようにし、その隙間を研磨液で満たすようにすることで、基板主表面の非接触研磨を行うこともできる。これにより、基板主表面の表面粗さの更なる向上および表面欠陥の更なる低減を図ることが可能となる。
【００８２】
マスクブランク用基板の主表面上に、マスクパターン形成用の薄膜を形成してマスクブランクを製造することにより、例えば、高い精度で適切にマスクブランクを製造できる。更には、このマスクブランクにおける薄膜をパターニングしてマスクパターンを形成することにより、高い精度で適切にマスクを製造できる。
【００８３】
ここで、本例のマスクブランク用基板の製造方法は、例えば、複数段階の研磨工程を備える。例えば、マスクブランク用基板の製造方法は、精密研磨工程及び超精密研磨工程を含む複数段階の研磨工程を備える。また、本例のマスクブランク用基板の製造方法は、例えば、精密研磨工程の前に、基板２２の形状を加工する研削工程や粗研磨工程等を更に備える。
【００８４】
この場合、以上に説明した方法による基板２２の研磨は、例えば主表面に対する最終の研磨工程である超精密研磨工程において行うことが好ましい。超精密研磨工程は、例えば、コロイダルシリカ砥粒を含む研磨液を用いて研磨を行う工程である。このコロイダルシリカ砥粒は、例えば、有機ケイ素化合物を加水分解することで生成したコロイダルシリカを含む研磨砥粒である。
【００８５】
このようにすれば、例えば、基板の両主表面を、高い平坦度に適切に研磨できる。また、これにより、例えば、欠陥サイズの微細化及び低欠陥化をより適切に実現できる。
【００８６】
また、超精密研磨工程より先に行われる研磨工程においては、例えば、上記と異なる方法により研磨を行ってもよい。例えば、精密研磨工程において、基板２２の自転回転数と公転回転数とを超精密研磨工程と異ならせて研磨を行うことが考えられる。この場合、例えば、上定盤１２、下定盤１４、太陽歯車１６、及び内歯歯車１８の回転数を異ならせて研磨を行うことが考えられる。また、例えば、更に、基板中心からオフセットした状態で研磨を行ってもよい。
【００８７】
この場合、上定盤１２、下定盤１４、太陽歯車１６、及び内歯歯車１８のそれぞれ又は一部の回転数を異ならせることにより、例えば、基板２２の主表面を均一に研磨するのではなく、例えば、中心領域又は周辺領域等の特定の領域を、他の領域よりも重点的に研磨できる。また、例えば、回転数の制御に加え、研磨液の供給量の制御を行うことにより、特定の領域をより重点的に研磨することも考えられる。このようにすれば、例えば、超精密研磨を行う前に、基板２２の一部を強制的に加工して、基板２２の面内形状の創成を適切に行うことができる。また、その後に超精密研磨を行うことにより、基板２２の主表面の表面粗さを更に低減できる。
【００８８】
尚、精密研磨工程は、超精密研磨工程の前段の研磨工程であり、例えば酸化セリウムを主材とする研磨液を用いて基板２２の両主表面を研磨することにより、使用する露光波長において要求されるマスクブランク用ガラス基板の表面粗さに応じて、基板２２の主表面を所定の表面粗さに仕上げる。具体的には、例えば、ＡｒＦエキシマレーザー露光用のマスクブランク用基板の場合、二乗平均平方根表面粗さ（ＲＭＳ）で０．２ｎｍ以下、ＥＵＶ反射型マスクブランク用の基板の場合、二乗平均平方根粗さ（ＲＭＳ）で０．１５ｎｍ以下に仕上げる。
【００８９】
また、ＡｒＦ露光光用等の光透過型マスクの精密研磨工程や超精密研磨工程に本例を適用する場合において、薄膜を形成する側とは反対側の主表面について、薄膜を形成する側の主表面ほどの平坦度を要しないときには、その反対側の主表面側に研磨面を接する定盤の回転数や研磨液の供給量を、本例のように特に制御しなくてもよい。もとより、回転数を制御しない従来の製造方法でもある程度の主表面の平坦度は得られるからである。
【００９０】
以下、実施例に基づいて本発明をより具体的に説明する。
（実施例１）
以下の工程により基板２２を加工して、実施例１に係るマスクブランク用基板を製造した。
【００９１】
１）粗研磨工程
合成石英ガラス基板の端面を面取加工、及び両面ラッピング装置によって研削加工を終えたガラス基板（約１５２ｍｍ×１５２ｍｍ×６．４ｍｍ）を、両面研磨装置に１２枚セットし、以下の研磨条件で粗研磨工程を行った。１２枚セットを１０回行い合計１２０枚のガラス基板の粗研磨工程を行った。尚、加工荷重、研磨時間は適宜調整して行った。
研磨液：酸化セリウム（平均粒径２〜３μｍ）＋水
研磨パッド：硬質ポリシャ（ウレタンパッド）
粗研磨工程後、ガラス基板に付着した研磨砥粒を除去するため、ガラス基板を洗浄槽に浸漬（超音波印加）し、洗浄を行った。
【００９２】
２）精密研磨工程
両面研磨装置に１２枚セットし、以下の研磨条件で精密研磨工程を行った。１２枚セットを１０回行い合計１２０枚のガラス基板の精密研磨工程を行った。尚、加工荷重、研磨時間は適宜調整して行った。
研磨液：酸化セリウム（平均粒径１μｍ）＋水
研磨パッド：軟質ポリシャ（スウェードタイプ）
【００９３】
精密研磨工程後、ガラス基板に付着した研磨砥粒を除去するため、ガラス基板を洗浄槽に浸漬（超音波印加）し、洗浄を行った。
【００９４】
３）超精密研磨工程
両面研磨装置に１２枚セットし、以下の研磨条件で超精密研磨工程を行った。１２枚セットを１０回行い合計１２０枚のガラス基板の超精密研磨工程を行った。尚、加工荷重、研磨時間は位相シフトマスクブランクに使用するガラス基板として必要な表面粗さ（所望の表面粗さ：二乗平均平方根粗さＲＭＳで０．２ｎｍ以下）となるように適宜調整して行った。但し、超精密研磨工程終了直前（即ち所望の表面粗さが得られる研磨時間が経過した後であって研磨定盤の回転停止直前）のガラス基板に対する加工圧力を１４４ｇ／ｃｍ２、この加工圧力のもとでの研磨時間を９０秒とした。
研磨液：アルカリ性（ｐＨ１０．５程度）コロイダルシリカ（平均粒径３０〜２００ｎｍ）＋水
研磨パッド：超軟質ポリシャ（スウェードタイプ）
【００９５】
超精密研磨工程後、ガラス基板に付着した研磨砥粒を除去するため、ガラス基板を、アルカリ水溶液を含む洗浄液が入った洗浄槽に浸漬（超音波印加）し、洗浄を行った。
【００９６】
ここで、実施例１において、超精密研磨工程を行う両面研磨装置としては、図１〜図５を用いて説明した両面研磨装置１０を用いた。また、上定盤１２、下定盤１４の単位時間あたりの回転数を設定し、更に、キャリア２０（基板２２）の上定盤１２、下定盤１４に対する単位時間あたりの相対的な公転回転数と、キャリア２０（基板２２）の単位時間あたりの自転回転数が等しく、１：１の比になるように調整した。また、上定盤１２における研磨液の供給穴のうち、最外周及び最内周の各供給穴からの研磨液の供給を停止した。その他の供給穴からの研磨液の供給量は、均一とした。
【００９７】
（実施例２）
超精密研磨工程における研磨液の供給の制御以外は実施例１と同様にして、実施例２に係るマスクブランク用基板を製造した。実施例２においては、上定盤１２における研磨液の供給穴のうち、最外周及び最内周の各供給穴からのみ研磨液の供給を行った。
【００９８】
（参考例１）
超精密研磨工程における研磨液の供給の制御以外は実施例１と同様にして、参考例１に係るマスクブランク用基板を作製した。参考例１においては、上定盤１２における全ての研磨液の供給穴に対し、研磨液の供給量を均一とした。
【００９９】
（実施例３）
実施例１の両面研磨装置１０による超精密研磨工程時における最終段階に、最外周及び最内周の供給穴からも研磨液を供給して基板主表面の全面に概ね均等に研磨液が供給されるように制御して仕上げの研磨を行うこと以外は、実施例１と同様にして、実施例３に係るマスクブランク用基板を製造した。
【０１００】
（実施例４）
実施例２の両面研磨装置１０による超精密研磨工程時における最終段階に、最外周及び最内周の供給穴からも研磨液を供給して基板主表面の全面に概ね均等に研磨液が供給されるように制御して仕上げの研磨を行うこと以外は、実施例２と同様にして、実施例４に係るマスクブランク用基板を製造した。
【０１０１】
（実施例５）
実施例１の両面研磨装置１０による超精密研磨工程時における最終段階に、基板２２の主表面と上定盤１２の研磨パッド２４の表面との間が数μｍの隙間を有するように上定盤を回転軸方向に移動させ、その隙間を研磨液で満たすように、各供給穴からの研磨液の供給量を制御し、基板主表面の非接触研磨を行ったこと以外は、実施例１と同様にして、実施例５のマスクブランク用基板を製造した。
【０１０２】
（実施例６）
実施例２の両面研磨装置１０による超精密研磨工程時における最終段階に、基板２２の主表面と上定盤１２の研磨パッド２４の表面との間が数μｍの隙間を有するように上定盤を回転軸方向に移動させ、その隙間を研磨液で満たすように、各供給穴からの研磨液の供給量を制御し、基板主表面の非接触研磨を行ったこと以外は、実施例２と同様にして、実施例６のマスクブランク用基板を製造した。
【０１０３】
（実施例７）
実施例３の両面研磨装置１０による超精密研磨工程時における仕上げの研磨を行った後、基板２２の主表面と上定盤１２の研磨パッド２４の表面との間が数μｍの隙間を有するように上定盤を回転軸方向に移動させ、その隙間を研磨液で満たすように、各供給穴からの研磨液の供給量を制御し、基板主表面の非接触研磨を行ったこと以外は、実施例３と同様にして、実施例７のマスクブランク用基板を製造した。
【０１０４】
（実施例８）
実施例４の両面研磨装置１０による超精密研磨工程時における仕上げの研磨を行った後、基板２２の主表面と上定盤１２の研磨パッド２４の表面との間が数μｍの隙間を有するように上定盤を回転軸方向に移動させ、その隙間を研磨液で満たすように、各供給穴からの研磨液の供給量を制御し、基板主表面の非接触研磨を行ったこと以外は、実施例４と同様にして、実施例８のマスクブランク用基板を製造した。
【０１０５】
（評価）
図６は、超精密研磨工程において上定盤１２の研磨液供給穴から供給される研磨液の軌跡の一例を示す。研磨液の軌跡とは、例えば、研磨液を供給する供給穴が基板２２の主表面の各部を通過する軌跡である。
【０１０６】
図６（ａ）は、実施例１における研磨液の軌跡を示す。この場合、図からわかるように、基板２２の中央部に重点的に研磨液が供給される。そのため、実施例１においては、基板主表面の中央部が優先的に研磨されることとなる。このことは、例えば、実施例１における各基板の研磨結果を参考例１における研磨結果と比べることにより確認できる。
【０１０７】
図６（ｂ）は、実施例２における研磨液の軌跡を示す。この場合、図からわかるように、基板２２の外寄りに研磨液が重点的に供給される。そのため、実施例２においては、基板主表面の外寄りが優先的に研磨されることとなる。このことは、例えば、実施例２における各基板の研磨結果を参考例１における研磨結果と比べることにより確認できる。
【０１０８】
図６（ｃ）は、参考例１における研磨液の軌跡を示す。この場合、図からわかるように、基板の全面に均一に研磨液が供給される。そのため、参考例１においては、基板の全面が平均的に研磨されることとなる。
【０１０９】
尚、超精密研磨工程の前工程の研磨段階の研磨条件（上下定盤の回転数、キャリアの自転および公転回転数等）によって、基板の４隅を含む外周部が研磨されやすい傾向が生じる場合がある。これに対しては、基板の中央部を優先的に研磨して、理想的な基板形状に近づけることが必要になる。実施例１のような研磨液の供給の制御を行うと、基板の中央部がより多く研磨されるようになるので、そのような場合に行う研磨として好適である。
【０１１０】
また、超精密研磨工程の前工程の研磨段階の研磨条件によって、基板の中央部が研磨されやすい傾向が生じる場合もある。これに対しては、基板の４隅を含む外周部を優先的に研磨して、理想的な基板形状に近づけることが必要になる。実施例２のような研磨液の供給の制御を行うと、基板の４隅を含む外周部がより多く研磨されるようになるので、そのような場合に行う研磨として好適である。
【０１１１】
実施例１で製造したマスクブランク用基板と、実施例３で製造したマスクブランク用基板とを比較したところ、実施例３で製造したマスクブランク用基板の方が、基板主表面の表面欠陥の欠陥サイズが小さく、かつ欠陥数が少ないことを確認できた。実施例２で製造したマスクブランク用基板と、実施例４で製造したマスクブランク用基板との比較においても同様の傾向であった。
【０１１２】
実施例３で製造したマスクブランク用基板と、実施例５で製造したマスクブランク用基板とを比較したところ、実施例５で製造したマスクブランク用基板の方が、基板主表面の表面粗さが向上しており、さらに表面欠陥の欠陥サイズが小さく、かつ欠陥数も少ないことを確認できた。実施例４で製造したマスクブランク用基板と、実施例６で製造したマスクブランク用基板との比較においても同様の傾向であった。
【０１１３】
実施例５で製造したマスクブランク用基板と、実施例７で製造したマスクブランク用基板とを比較したところ、実施例５で製造したマスクブランク用基板の方が、基板主表面の表面欠陥の欠陥サイズがさらに小さく、かつ欠陥数も少ないことを確認できた。ＥＵＶ反射型マスクブランク用の基板に用いるには最適といえる。実施例６で製造したマスクブランク用基板と、実施例８で製造したマスクブランク用基板との比較においても同様の傾向であった。
【０１１４】
以上、本発明に関して実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【０１１５】
本発明は、例えばマスクブランク用基板の製造方法に好適に用いることができる。
【符号の説明】
【０１１６】
１０・・・両面研磨装置、１２・・・上定盤、１４・・・下定盤、１６・・・太陽歯車、１８・・・内歯歯車、２０・・・キャリア、２２・・・基板、２４・・・研磨パッド、３０・・・制御部、１０２・・・定盤中心軸、１０４・・・キャリア中心軸、２０２・・・矢印、２０４・・・矢印、２０６・・・矢印、２０８・・・領域、３０２・・・供給穴列、３０４・・・最内周側穴、３０６・・・最外周側穴
【図１】
2010221370.tif 000003
【図２】
2010221370.tif 000004
【図３】
2010221370.tif 000005
【図４】
2010221370.tif 000006
【図５】
2010221370.tif 000007
【図６】
2010221370.tif 000008